(57)【要約】【課題】簡単な構成で消費電力を低減することができるバックライト装置を実現する。【解決手段】本発明の液晶表示装置１は、複数のＬＥＤ１１ａ〜１１ｄが設けられる発光領域と、ＬＥＤ１１ａ〜１１ｄを駆動するＬＥＤ駆動部２０ａ〜２０ｄと、ＬＥＤ駆動部２０ａ〜２０ｄによるＬＥＤ１１ａ〜１１ｄの駆動を制御するＬＥＤ制御部２１と、映像信号ＶＳの有効映像領域のサイズが所定の複数種類のサイズのいずれであるかを判定する映像サイズ判定部２２とを備え、前記発光領域は４つの分割発光領域１４ａ〜１４ｄに分割され、ＬＥＤ制御部２１は、ＬＥＤ駆動部２０ａ〜２０ｄがＬＥＤ１１ａ〜１１ｄを分割発光領域単位で駆動するように制御する。【選択図】図１
2009294436.tif 000002
【特許請求の範囲】
【請求項１】
複数の光源が設けられる発光領域と、
前記光源を駆動する光源駆動部と、
前記光源駆動部による前記光源の駆動を制御する光源制御部とを備え、
液晶パネルを背面から照明するバックライト装置において、
映像信号の有効映像領域のサイズが所定の複数種類のサイズのいずれであるかを判定する映像サイズ判定部をさらに備え、
前記発光領域は複数の分割発光領域に分割されており、
前記光源制御部は、前記光源駆動部が前記光源を前記分割発光領域単位で駆動するように制御し、
前記所定の複数種類のサイズに対応する映像領域は、前記複数の分割発光領域のうちのいずれかの分割発光領域、または前記複数の分割発光領域の組合せに係るいずれかの発光領域に対応しており、
前記映像サイズ判定部によって判定された前記有効映像領域のサイズが前記液晶パネルの表示画面のサイズと異なる場合、
前記光源制御部は、前記映像サイズ判定部によって判定されたサイズに対応する有効映像領域以外の無効映像領域に対応する発光領域の光源の輝度を、前記有効映像領域に対応する発光領域の光源の輝度よりも下げるように、前記光源駆動部を制御することを特徴とするバックライト装置。
【請求項２】
前記光源制御部は、前記無効映像領域に対応する発光領域の光源を消灯するように、前記光源駆動部を制御することを特徴とする請求項１に記載のバックライト装置。
【請求項３】
前記無効映像領域は、黒表示領域であることを特徴とする請求項１または２に記載のバックライト装置。
【請求項４】
前記映像信号の前記無効映像領域は、静止画像領域であることを特徴とする請求項１または２に記載のバックライト装置。
【請求項５】
前記液晶パネルの表示画面のサイズは１６：９であり、
前記所定の複数種類のサイズは４：３および１６：９であり、
前記発光領域は２つの分割発光領域に分割されていることを特徴とする請求項１〜４のいずれか１項に記載のバックライト装置。
【請求項６】
前記液晶パネルの表示画面のサイズは１６：９であり、
前記所定の複数種類のサイズは２．３５：１および１６：９であり、
前記発光領域は２つの分割発光領域に分割されていることを特徴とする請求項１〜４のいずれか１項に記載のバックライト装置。
【請求項７】
前記光源は放電管であることを特徴とする請求項５または６に記載のバックライト装置。
【請求項８】
前記液晶パネルの表示画面のサイズは１６：９であり、
前記所定の複数種類のサイズは４：３、１６：９および２．３５：１であり、
前記発光領域は３つの分割発光領域に分割されていることを特徴とする請求項１〜４のいずれか１項に記載のバックライト装置。
【請求項９】
前記光源は、ＬＥＤまたはＥＬ発光素子であることを特徴とする請求項５、６または８に記載のバックライト装置。
【請求項１０】
請求項１〜９のいずれか１項に記載のバックライト装置を備える液晶表示装置。
【発明の詳細な説明】
【技術分野】
【０００１】
本発明は、バックライト装置及び液晶表示装置に関し、より具体的には、映像に無効映像領域が含まれる場合に、消費電力の低減を図ることのできるバックライト装置及び液晶表示装置に関する。
【背景技術】
【０００２】
液晶パネルなどの光変調素子を背面から照明するバックライトとして、ＬＥＤバックライトが注目されている。ＬＥＤバックライトには、白色ＬＥＤを配列して白色光の照明光を発光する構成のものや、Ｒ（赤），Ｇ（緑），Ｂ（青）の３色のＬＥＤを配列し、これらの３色の光を混色して白色光とする構成のものがある。また前記白色ＬＥＤには、短波長ＬＥＤに蛍光体を組み合わせて白色を得る方式のものや、青色ＬＥＤに蛍光体を組み合わせて白色を得る方式、あるいは青色ＬＥＤに黄色の蛍光体を組み合わせて白色を得る方式のもの等がある。
【０００３】
このような、ＬＥＤを利用したバックライトは、従来一般的な冷陰極管（ＣＣＦＬ）等の蛍光管を利用したバックライトと比較して、いくつかの特徴的な利点が得られている。
【０００４】
例えば、従来バックライトとして使用されていた蛍光管は、点灯するときに高い電圧を必要とし、また蛍光管の点灯・消灯を煩雑に繰り返すとその寿命が短くなる、という課題を有していた。また蛍光管は、通常ガラス材によって形成されているため、バックライト光源として形状の自由度に制限がある、という課題もあった。
【０００５】
これに対して、ＬＥＤを使用したバックライトは、蛍光管に比して低電圧で駆動することができ、また消費電力が少なく、寿命が長い等の優位な性能を備えている。
【０００６】
また３色のＬＥＤを使用したバックライトでは、光の３原色に近い波長から白色光を得るため、従来の冷陰極管に比べて色の自由度が高まるという特徴がある。特に色再現性を大幅に拡大することが可能で、ＮＴＳＣ規格比で１００％を超える色再現性を実現したり、白色点（白の色味）を自由に調整したりすることができるようになる。
【０００７】
ＬＥＤバックライトには、例えば、液晶パネルの背面側に導光板を配置し、その導光板の端部に複数のＬＥＤをアレイ状に配列した導光板方式のものがある。この場合、ＬＥＤアレイから発光した照明光は、導光板を介して液晶パネルを照明する。また導光板と液晶パネルとの間には、照明光に配光特性や輝度分散特性を与えるために、拡散板やプリズムシート等の光学シート類が適宜配設される。
【０００８】
上記のような導光板方式に対して、液晶パネルの背面側の直下にＬＥＤを配列する直下型のＬＥＤバックライトが提供されている。直下型のＬＥＤバックライトにおいても、ＬＥＤと液晶パネルの間には上記のような光学シート類が適宜配設される。
【０００９】
上記のような直下型のＬＥＤバックライトは、導光板方式に比して光利用効率が高く、また軽量化が可能であるなどの長所がある。光利用効率に関し、導光板方式のＬＥＤバックライトでは、その光利用効率は例えば約５０％程度であるのに対して、直下型のＬＥＤバックライトでは、光利用効率は例えば約７５％と高くなる。
【００１０】
一般に液晶パネルを用いた表示装置では高レベルの画面輝度が求められる。例えば、液晶テレビジョン装置では、画面の輝度レベルは少なくとも４５０ｃｄ／ｍ２が要求され、このような要求を満足するためには、基本的には光利用効率の高い直下型方式のＬＥＤバックライトが有利であるものといえる。
【００１１】
上記のようなＬＥＤバックライトの構成に関し、例えば特許文献１では、表示しようとする画像に応じて、バックライトを構成するＬＥＤを選択的に駆動制御して、少なくとも照明光が必要とされる画素領域にのみ部分的に照明光を照射するようにした映像表示装置が開示されている。ここでは、液晶パネルに照射する照明光を発する光源となるＬＥＤを、複数の分割領域に対して少なくとも１つずつ配置する。そしてＬＥＤを制御するＬＥＤ制御回路は、映像信号に応じて、少なくとも照明光が必要とされる画面領域にのみ照明光が照射されるようにＬＥＤの発光を制御し、バックライトパネルにおけるＬＥＤを分割領域単位で駆動する。このような構成により、照明する必要のない画面領域に対しては基本的にバックライトによる照明光を照射せず、照明に必要とされる消費電力を低減させることができる。
【００１２】
このように、特許文献１に記載のＬＥＤバックライトの構成では、ＬＥＤで照明しない領域がある場合は、その領域のＬＥＤを点灯させないようすることにより、低消費電力化を図ることができる。
【特許文献１】特開２００１−１４２４０９号公報（２００１年５月２５日公開）
【発明の開示】
【発明が解決しようとする課題】
【００１３】
しかしながら、上記従来の構成では、ＬＥＤを駆動するための制御回路が複雑になるため、コスト高になるという問題を生じる。
【００１４】
具体的には、特許文献１には、映像表示装置のＬＥＤが所定の分割領域単位でスイッチング素子に接続され、映像信号に基づく液晶パネルの駆動に応じて、ＬＥＤを選択的に駆動することが開示されている。この場合、映像信号を読み出す毎にＬＥＤで照明しない領域を判別しなければならないので、ＬＥＤを駆動するための制御回路が複雑になる。
【００１５】
また、特許文献１では、マトリクス状に分割領域単位数を増やし、ＬＥＤで照明しない領域を細かく制御することで、さらに消費電力を削減できることが開示されている。しかしながら、分割領域単位数に比例してＬＥＤを駆動するための駆動回路が増え、当該駆動回路を制御するための制御回路もさらに複雑になることから、さらに処理能力の高いＬＳＩを必要とし、コスト高になるという問題が生じる。
【００１６】
本発明は、上記の問題点に鑑みてなされたものであり、その目的は、簡単な構成で消費電力を低減することができるバックライト装置を実現することにある。
【課題を解決するための手段】
【００１７】
本発明に係るバックライト装置は、上記課題を解決するために、複数の光源が設けられる発光領域と、前記光源を駆動する光源駆動部と、前記光源駆動部による前記光源の駆動を制御する光源制御部とを備え、液晶パネルを背面から照明するバックライト装置において、映像信号の有効映像領域のサイズが所定の複数種類のサイズのいずれであるかを判定する映像サイズ判定部をさらに備え、前記発光領域は複数の分割発光領域に分割されており、前記光源制御部は、前記光源駆動部が前記光源を前記分割発光領域単位で駆動するように制御し、前記所定の複数種類のサイズに対応する映像領域は、前記複数の分割発光領域のうちのいずれかの分割発光領域、または前記複数の分割発光領域の組合せに係るいずれかの発光領域に対応しており、前記映像サイズ判定部によって判定された前記有効映像領域のサイズが前記液晶パネルの表示画面のサイズと異なる場合、前記光源制御部は、前記映像サイズ判定部によって判定されたサイズに対応する有効映像領域以外の無効映像領域に対応する発光領域の光源の輝度を、前記有効映像領域に対応する発光領域の光源の輝度よりも下げるように、前記光源駆動部を制御することを特徴としている。
【００１８】
上記の構成によれば、複数の光源が設けられる発光領域が複数の分割発光領域に分割されており、光源制御部は、光源駆動部が光源を分割発光領域単位で駆動するように制御する。また、映像サイズ判定部は、外部から入力される映像信号の有効映像領域のサイズが所定の複数種類のサイズのいずれであるかを判定するように構成され、当該所定の複数種類のサイズに対応する映像領域は、複数の分割発光領域のうちのいずれかの分割発光領域、または前記複数の分割発光領域の組合せに係るいずれかの発光領域に対応している。すなわち、映像信号の有効映像領域のサイズが前記所定の複数種類のサイズのいずれかである場合、液晶パネルの表示画面での有効映像領域は、分割発光領域のうちのいずれか分割発光領域の光源、または分割発光領域の組合せに係る発光領域のいずれかの発光領域の光源に照明されるように位置している。したがって、映像信号の無効映像領域も、分割発光領域のうちのいずれかの分割発光領域、または分割発光領域の組合せに係るいずれかの発光領域に対応することとなる。
【００１９】
ここで、映像サイズ判定部によって判定された有効映像領域のサイズが液晶パネルの表示画面のサイズと異なる場合、無効映像領域に対応する発光領域の光源の輝度を、有効映像領域に対応する発光領域の光源の輝度よりも下げるように調光制御されるので、バックライト装置の消費電力を低減することができる。また、無効映像領域は視聴対象とはならない領域であるので、無効映像領域の輝度を下げても表示品位に問題は生じない。
【００２０】
さらに、映像サイズ判定部の判定対象となる前記所定の複数種類のサイズを、４：３や１６：９等の典型的な画面サイズに限定することで、発光領域の分割数を減らすことができるので、光源を駆動するための回路構成を簡素化することができる。したがって、簡単な構成で消費電力を低減することができるバックライト装置を実現できるという効果を奏する。
【００２１】
本発明に係るバックライト装置では、前記光源制御部は、前記無効映像領域に対応する発光領域の光源を消灯するように、前記光源駆動部を制御することが好ましい。
【００２２】
上記の構成によれば、無効映像領域に対応する発光領域の光源を減光する場合に比べ、さらに消費電力を低減することができる。
【００２３】
本発明に係るバックライト装置では、前記無効映像領域は、黒表示領域であってもよい。
【００２４】
本発明に係るバックライト装置では、前記映像信号の前記無効映像領域は、静止画像領域であってもよい。
【００２５】
従来では、無効映像領域に対応する部分が放送局が挿入した余白領域（例えば地上デジタル放送などの１６：９サイズの映像の左右に表示される模様のようなもの）等の静止画像領域である場合、当該余白領域を有効映像領域とみなし、余白領域に対応する光源も駆動させていた。一方、本発明では、無効映像領域が静止画像領域であっても、無効映像領域に対応する分割発光領域の光源を減光あるいは消灯させることができるので、バックライト装置の消費電力を低減することができる。
【００２６】
本発明に係るバックライト装置では、前記液晶パネルの表示画面のサイズは１６：９であり、前記所定の複数種類のサイズは４：３および１６：９であり、前記発光領域は２つの分割発光領域に分割されていてもよい。
【００２７】
本発明に係るバックライト装置では、前記液晶パネルの表示画面のサイズは１６：９であり、前記所定の複数種類のサイズは２．３５：１および１６：９であり、前記発光領域は２つの分割発光領域に分割されていてもよい。
【００２８】
上記の構成によれば、２つの分割発光領域の一方が４：３または２．３５：１のサイズの映像領域に対応し、２つの分割発光領域の組合せに係る発光領域が１６：９の映像領域に対応することとなる。ここで、映像サイズ判定部によって映像信号の有効映像領域のサイズが４：３または２．３５：１であると判定された場合、無効映像領域に対応する２つの分割発光領域の他方の光源を減光あるいは消灯するように調光制御されるので、バックライト装置の消費電力を低減することができる。
【００２９】
また、光源の一部を減光あるいは消灯することができるのは、映像信号の有効映像領域のサイズが４：３または２．３５：１のいずれかであると判定された場合に限られるが、発光領域の分割数が２つだけであるので、光源を駆動するための回路構成をより簡単にすることができ、バックライト装置の製造コストをさらに抑えることができる。
【００３０】
本発明に係るバックライト装置では、前記光源は放電管であってもよい。
【００３１】
本発明に係るバックライト装置では、前記液晶パネルの表示画面のサイズは１６：９であり、前記所定の複数種類のサイズは４：３、１６：９および２．３５：１であり、前記発光領域は３つの分割発光領域に分割されていてもよい。
【００３２】
上記の構成によれば、３つの分割発光領域の組合せに係る発光領域のいずれかが、４：３または２．３５：１のサイズの映像領域に対応し、３つの分割発光領域を全て組合せた発光領域が１６：９の映像領域に対応することとなる。ここで、映像サイズ判定部によって映像信号の有効映像領域のサイズが４：３および２．３５：１であると判定された場合、無効映像領域に対応する分割発光領域の光源を減光あるいは消灯するように調光制御されるので、バックライト装置の消費電力を低減することができる。
【００３３】
さらに、映像信号の有効映像領域のサイズが４：３であると判定された場合と当該サイズが２．３５：１であると判定された場合との両方において、光源の一部を減光あるいは消灯することができるので、発光領域が２つの分割発光領域に分割されている場合に比べ、バックライト装置の消費電力をさらに低減することができる。
【００３４】
本発明に係るバックライト装置では、前記光源は、ＬＥＤまたはＥＬ発光素子であることが好ましい。
【００３５】
上記の構成によれば、ＬＥＤやＥＬ発光素子は、放電管に比べ低電圧で駆動することができ寿命が長いという利点を有しているので、さらに低消費電力であり、かつ長寿命であるバックライト装置を実現できる。
【００３６】
本発明に係る液晶表示装置は、上記のバックライト装置を備えている。
【発明の効果】
【００３７】
本発明に係るバックライト装置は、以上のように、映像信号の有効映像領域のサイズが所定の複数種類のサイズのいずれであるかを判定する映像サイズ判定部をさらに備え、前記発光領域は複数の分割発光領域に分割されており、前記光源制御部は、前記光源駆動部が前記光源を前記分割発光領域単位で駆動するように制御し、前記所定の複数種類のサイズに対応する映像領域は、前記複数の分割発光領域のうちのいずれかの分割発光領域、または前記複数の分割発光領域の組合せに係るいずれかの発光領域に対応しており、前記映像サイズ判定部によって判定された前記有効映像領域のサイズが前記液晶パネルの表示画面のサイズと異なる場合、前記光源制御部は、前記映像サイズ判定部によって判定されたサイズに対応する有効映像領域以外の無効映像領域に対応する発光領域の光源の輝度を、前記有効映像領域に対応する発光領域の光源の輝度よりも下げるように、前記光源駆動部を制御するので、簡単な構成で消費電力を低減することができるバックライト装置を実現できるという効果を奏する。
【発明を実施するための最良の形態】
【００３８】
本発明の一実施形態について図１ないし図１８に基づいて説明すると以下の通りである。
【００３９】
図１は、本実施形態に係る液晶表示装置１の構成を示すブロック図である。液晶表示装置１は、例えば、ＴＦＴ（薄膜トランジスタ）方式の液晶表示装置であり、液晶パネル２、ＬＣＤ駆動部３、ＬＣＤ制御部４、映像調整処理部５およびバックライト装置１０を備えている。
【００４０】
液晶パネル２は、ＬＣＤ駆動部３から入力される信号線駆動信号および走査線駆動信号に基づいて表示画面に映像を表示する。本実施形態の液晶パネル２の表示画面の画面サイズは、地上デジタル放送の映像表示に対応した１６：９である。なお、本明細書において「画面サイズ」および「サイズ」とは、画面の横縦の比率であるアスペクト比を意味する。液晶パネル２は周知のものを用いることができるので、その構成についての詳細な説明は省略する。
【００４１】
ＬＣＤ駆動部３は、ＬＣＤ制御部４から入力される階調データ信号、信号線制御信号および走査線制御信号に基づいて、液晶パネル２における画像表示制御を行うための信号線駆動信号および走査線駆動信号を生成する。ＬＣＤ制御部４は、映像調整処理部５から入力されるＲＧＢの画像表示信号に基づいて、前記階調データ信号、信号線制御信号および走査線制御信号を生成する。
【００４２】
映像調整処理部５は、映像信号ＶＳに対し必要に応じて各種の画質調整処理、例えば映像のコンバート等を行って、液晶パネル２の駆動に適したＲＧＢ等の画像表示信号を生成する。具体的には、映像信号ＶＳの画面サイズが液晶パネル２の表示画面のサイズと異なる場合、すなわち、映像信号ＶＳの有効映像領域のアスペクト比が、液晶パネル２の表示画面のアスペクト比と異なる場合、映像調整処理部５は、映像が液晶パネル２の表示画面に適合するように画像表示信号を生成する。例えば、映像信号ＶＳの画面サイズが液晶パネル２の表示画面よりも縦長の４：３である場合、映像調整処理部５は、４：３の有効映像領域を表示画面のセンターに配置し、有効映像領域の左右に黒表示となる無効映像領域を挿入することにより、全体の画面サイズを１６：９にする。
【００４３】
映像信号ＶＳは、記録再生装置の記録媒体から読み出されたり、放送局からの放送信号を受信することにより、映像調整処理部５に入力される。なお、映像信号ＶＳが放送局からの受信信号である場合、無効映像領域に、映像が自然になるような固定パターンや、何らかの模様の映像が放送局によって挿入されていることがある。また、映像調整処理部５は、後述する映像サイズ判定部２２からの映像サイズ情報に基づいて、上記の無効映像得領域を挿入してもよい。
【００４４】
バックライト装置１０は、複数の光源が液晶パネルの直下に配置された直下型バックライトであり、液晶パネル２を背面から照射するように構成されている。バックライト装置１０は、光源となる複数のＬＥＤ１１ａ〜１１ｄ、ＬＥＤ駆動部２０ａ〜２０ｄ、ＬＥＤ制御部２１、映像サイズ判定部２２および映像サイズ記憶部２３を備えている。
【００４５】
ＬＥＤ駆動部２０ａ〜２０ｄはそれぞれ、ＬＥＤ制御部２１からの制御信号に基づき、ＬＥＤ１１ａ〜１１ｄを発光させる電流を制御するインバータ回路である。ＬＥＤ制御部２１は、映像サイズ判定部２２からの制御信号に基づき、ＬＥＤ駆動部２０ａ〜２０ｄによるＬＥＤ１１ａ〜１１ｄの駆動を制御する。
【００４６】
映像サイズ判定部２２は、外部から入力される映像信号ＶＳから、映像信号ＶＳの有効映像領域のサイズが、４：３、１６：９または２．３５：１のいずれであるかを判定する。これにより、映像サイズ判定部２２の判定結果に従って、ＬＥＤ駆動部２０ａ〜２０ｄによるＬＥＤの調光制御が行われる。また、映像サイズ判定部２２は、無効映像領域が黒表示である場合だけでなく、他の色による塗りつぶしや模様等の余白領域であっても、映像信号ＶＳの有効映像領域のサイズを判定することができる。
【００４７】
映像サイズ記憶部２３には、サイズが４：３および２．３５：１の静止画像データが格納されており、映像サイズ判定部２２は、映像信号ＶＳの映像領域と映像サイズ記憶部２３に格納されている静止画像データのサイズとを比較することにより、映像信号ＶＳの有効映像領域のサイズを判定する。映像信号ＶＳの有効映像領域のサイズ判定の具体的内容は、後述する。
【００４８】
続いて、バックライト装置１０の構造について、図２および図３に基づいて説明する。
【００４９】
図２（ａ）は、バックライト装置１０が液晶パネル２に取り付けられた状態を示す断面図であり、図２（ｂ）は、バックライト装置１０の構造を示す平面図である。図２（ａ）に示すように、バックライト装置１０は、筐体１５内に、拡散板１２、光学シート類１３、反射板１４を備えており、液晶パネル２の背面に取り付けられる。より詳細には、筐体１５の底面側に反射板１４が配置され、図２（ｂ）に示すように、反射板１４の上面側に１１２個のＬＥＤ１１が縦８個×横１４個のマトリックス状に配設されており、これにより、反射板１４の上面は発光領域を構成している。
【００５０】
マトリックス状のＬＥＤ１１は、複数のＬＥＤ１１を基板上にアレイ状に配設したユニットをさらに複数並べて構成することができる。また、反射板１４に貫通孔を開けて、その貫通孔に個々のＬＥＤ１１を配設するようにしてもよい。あるいは、ＬＥＤ１１を配設する基板表面に印刷等の手法により反射面を形成し、ＬＥＤ基板に反射板１４の機能を付与するようにしてもよい。
【００５１】
本実施形態では、これらＬＥＤ１１の個数および構成については何ら限定されるものではなく、複数のＬＥＤが液晶パネル２の背面側に配置された直下型の構成を備えていればよい。また本実施形態に係るバックライト装置１０は、白色ＬＥＤを使用した照明方式であってもよく、またＲＧＢの３色のＬＥＤを配設した照明方式であってもよく、特に使用するＬＥＤを限定するものではない。
【００５２】
また図１に示すＬＥＤ駆動部２０ａ〜２０ｄ、ＬＥＤ制御部２１、映像サイズ判定部２２、映像サイズ記憶部２３、その他の各種電気回路部品は、バックライト装置１０の背面にまとめて配置されるが、特にその詳細な位置関係については限定されない。
【００５３】
ＬＥＤ１１から発光した光は、拡散板１２により拡散され、さらに他の光学シート類１３で所定の作用を受けて液晶パネル２を背面側から照明する。上記他の光学シート類１３は、例えば、プリズムシート等の光学シートが適宜用いられる。
【００５４】
液晶パネル２は、入力する映像信号ＶＳに応じて各画素の液晶の配向が制御され、ＬＥＤ１１から発光した照明光を変調する。これにより液晶パネル２上に映像信号ＶＳに応じた映像が表示される。
【００５５】
図３は、発光領域を構成する反射板１４の上面を示す平面図であり、発光領域全体のサイズはほぼ１６：９である。さらに、発光領域は、４つの分割発光領域１４ａ・１４ｂ・１４ｃ・１４ｄに分割されている。便宜上、分割発光領域１４ａのＬＥＤ１１をＬＥＤ１１ａ、分割発光領域１４ｂのＬＥＤ１１をＬＥＤ１１ｂ、分割発光領域１４ｃのＬＥＤ１１をＬＥＤ１１ｃ、分割発光領域１４ｄのＬＥＤ１１をＬＥＤ１１ｄとする。
【００５６】
分割発光領域１４ｂ・１４ｃ・１４ｄの各々は、連続した領域ではないが、各分割発光領域１４ｂ・１４ｃ・１４ｄのＬＥＤは、それぞれ１つのＬＥＤ駆動部によって駆動される。具体的には、図１に示すように、分割発光領域１４ｂの２０個のＬＥＤ１１ｂはＬＥＤ駆動部２０ｂによって一括して駆動され、分割発光領域１４ｃの２４個のＬＥＤ１１ｃはＬＥＤ駆動部２０ｃによって一括して駆動され、分割発光領域１４ｄの８個のＬＥＤ１１ｄはＬＥＤ駆動部２０ｄによって一括して駆動される。同様に、分割発光領域１４ａの６０個のＬＥＤ１１ａはＬＥＤ駆動部２０ａによって一括して駆動される。
【００５７】
また、分割発光領域１４ａ〜１４ｄは、図１に示す映像サイズ判定部２２によって判定されるサイズに対応した配置で分割されている。すなわち、４：３、１６：９および２．３５：１の有効映像領域は、分割発光領域１４ａ〜１４ｄの組合せに係るいずれかの発光領域に対応するように分割されている。
【００５８】
具体的には、４：３のサイズの有効映像領域が分割発光領域１４ａと分割発光領域１４ｂとを合わせた発光領域に対応するように、当該発光領域のサイズが、ほぼ４：３となっている。また、２．３５：１のサイズの有効映像領域が分割発光領域１４ａと分割発光領域１４ｃとを合わせた発光領域に対応するように、当該発光領域のサイズは、ほぼ２．３５：１となっている。なお、１６：９のサイズの有効映像領域は、全ての分割発光領域１４ａ〜１４ｄを合わせた発光領域に対応する。
【００５９】
各ＬＥＤ駆動部２０ａ〜２０ｄは、ＬＥＤ制御部２１によって、それぞれ独立にＬＥＤの駆動を行う。これにより、ＬＥＤ１１は、分割発光領域単位で調光制御される。さらに、上記のようにＬＥＤ制御部２１は、映像サイズ判定部２２からの制御信号に基づいて、各ＬＥＤ駆動部２０ａ〜２０ｄを制御する。映像サイズ判定部２２には、外部から映像信号ＶＳが入力され、映像サイズ判定部２２は、映像信号ＶＳの有効映像領域のサイズを判定し上記制御信号をＬＥＤ制御部２１に出力する。
【００６０】
続いて、ＬＥＤ１１ａ〜１１ｄの駆動制御の具体例について説明する。
【００６１】
映像信号ＶＳの有効映像領域のサイズが４：３である場合、液晶パネル２の表示画面のサイズが１６：９であるので、図１に示す映像調整処理部５は、図４に示すように、有効映像領域ＡＣの左右に無効映像領域である黒表示領域ＢＬを挿入することにより、有効映像領域ＡＣと黒表示領域ＢＬとを合わせた全体のサイズが１６：９となるように、映像のコンバートを行う。これにより、ＬＣＤ制御部４は、バックライト装置１０からの光が黒表示領域ＢＬを透過しないように、ＬＣＤ駆動部３を制御する。
【００６２】
ここで、本実施形態では、黒表示領域ＢＬに対応する発光領域のＬＥＤ、すなわち、黒表示領域ＢＬの直下に配置されているＬＥＤの輝度を、有効映像領域ＡＣの直下に配置されているＬＥＤの輝度よりも下げるように、ＬＥＤの調光制御が行われている。具体的には、図１に示す映像サイズ判定部２２は、映像信号ＶＳの有効映像領域のサイズが４：３と判定し、ＬＥＤ制御部２１は、当該判定結果に基づいて、図５に示すように、分割発光領域１４ｃのＬＥＤ１１ｃおよび分割発光領域１４ｄのＬＥＤ１１ｄの輝度を、分割発光領域１４ａのＬＥＤ１１ａおよび分割発光領域１４ｂのＬＥＤ１１ｂの輝度よりも下げるように調光制御する。上述のように、分割発光領域１４ａと分割発光領域１４ｂとを合わせた領域のサイズは、ほぼ４：３であるので、黒表示領域ＢＬに対応する発光領域のＬＥＤ１１ｃ・１１ｄの輝度が下がることとなる。
【００６３】
また、映像信号ＶＳの有効映像領域のサイズがシネマサイズである２．３５：１である場合、図１に示す映像調整処理部５は、図６に示すように、有効映像領域ＡＣの上下に黒表示領域ＢＬを挿入することにより、有効映像領域ＡＣと黒表示領域ＢＬとを合わせた全体のサイズが１６：９となるように、映像のコンバートを行う。この場合、図１に示す映像サイズ判定部２２は、映像信号ＶＳの有効映像領域のサイズが２．３５：１と判定し、ＬＥＤ制御部２１は、当該判定結果に基づいて、図７に示すように、分割発光領域１４ｂのＬＥＤ１１ｂおよび分割発光領域１４ｄのＬＥＤ１１ｄの輝度を、分割発光領域１４ａのＬＥＤ１１ａおよび分割発光領域１４ｃのＬＥＤ１１ｃの輝度よりも下げるように調光制御する。上述のように、分割発光領域１４ａと分割発光領域１４ｃとを合わせた領域のサイズは、ほぼ２．３５：１であるので、黒表示領域ＢＬに対応する発光領域のＬＥＤ１１ｂ・１１ｄの輝度が下がることとなる。
【００６４】
映像信号ＶＳの有効映像領域のサイズが１６：９の場合は、当該サイズが液晶パネル２の表示画面のサイズに一致するので、映像調整処理部５は、黒表示となる無効映像領域の挿入を行わない。したがって、全てのＬＥＤ１１ａ〜１１ｄの輝度が等しくなるように調光制御される。
【００６５】
もともと、黒表示領域ＢＬには、バックライト装置１０から光を照射する必要がないため、映像表示の品質に問題は生じない。したがって、映像信号ＶＳの有効映像領域のサイズが、４：３または２．３５：１の場合は、バックライト装置１０の消費電力を低減することが可能となる。また、４：３および２．３５：１の画面サイズは、一般の映像表示に使用される典型的なサイズであるので、大抵の場合、黒表示領域ＢＬが挿入された映像を少ない消費電力で表示することができる。
【００６６】
また、発光領域の分割数を４つに抑えることができるので、ＬＥＤ駆動部の数を減らすことができ、ＬＥＤ制御部の回路構成を簡素化することができる。したがって、特許文献１に記載の構成よりも簡単な構成で消費電力の低減を実現でき、バックライト装置の製造コストを抑えることができる。
【００６７】
上記では、黒表示領域ＢＬに対応する分割発光領域のＬＥＤの輝度を、有効映像領域ＡＣに対応する分割発光領域のＬＥＤの輝度よりも下げていたが、有効映像領域ＡＣと黒表示領域ＢＬとの境界の表示品質に問題がなければ、黒表示領域ＢＬに対応する分割発光領域のＬＥＤを消灯してもよい。これにより、さらに消費電力を低減できる。
【００６８】
なお、映像信号ＶＳの有効映像領域のサイズが、４：３、１６：９および２．３５：１のいずれでもない場合であっても、図１に示す映像サイズ判定部２２は、４：３、１６：９および２．３５：１のいずれかであると判定する。例えば、映像信号ＶＳの有効映像領域のサイズが、４：３よりも縦長である場合であっても、映像サイズ判定部２２は、映像信号ＶＳの有効映像領域のサイズを４：３であると判定してもよい。この場合、映像信号ＶＳの有効映像領域は、４：３サイズの画面領域内に収まるので、分割発光領域１４ａのＬＥＤ１１ａおよび分割発光領域１４ｂのＬＥＤ１１ｂのみ発光させても、表示品位に影響を与えることなく、有効映像領域全体を表示することができる。
【００６９】
また、映像信号ＶＳの有効映像領域のサイズが、４：３よりも若干横長である場合、すなわち映像信号ＶＳの有効映像領域が、４：３サイズの画面領域よりも若干大きい場合であっても、拡散板１２による光の拡散により、ＬＥＤ１１ａ・１１ｂのみ発光させるか、ＬＥＤ１１ｃ・１１ｄの輝度をＬＥＤ１１ａ・１１ｂの輝度より下げても表示品位に問題がなければ、映像サイズ判定部２２は、映像信号ＶＳの有効映像領域のサイズを４：３であると判定してもよい。
【００７０】
同様に、映像信号ＶＳの有効映像領域のサイズが、２．３５：１よりも横長であるか、若干縦長である場合も、表示品位に問題がなければ、映像サイズ判定部２２は、映像信号ＶＳの有効映像領域のサイズを２．３５：１であると判定してもよい。
【００７１】
このように、映像サイズ判定部２２によって判定されるサイズと、実際の映像信号ＶＳの有効映像領域のサイズとは、必ずしも一致していなくてもよい。具体的には、実際の映像信号ＶＳの有効映像領域のサイズが、映像サイズ判定部２２によって判定されるサイズに収まっているか、あるいは、無効映像領域に対応する分割発光領域のＬＥＤの輝度を下げるか又は消灯した場合に表示品位に影響がない範囲で、実際の映像信号ＶＳの有効映像領域のサイズが、映像サイズ判定部２２によって判定されるサイズよりも若干大きくてもよい。
【００７２】
なお、映像信号ＶＳの有効映像領域のサイズが、１６：９であるか、４：３または２．３５：１より所定以上横長または縦長であるために４：３または２．３５：１のいずれであるとも判定されない場合、映像サイズ判定部２２は、映像信号ＶＳの有効映像領域のサイズを１６：９であると判定する。この場合、全てのＬＥＤ１１ａ〜１１ｄの輝度が等しくなるように調光制御される。
【００７３】
続いて、映像サイズ判定部２２による映像信号ＶＳの有効映像領域のサイズ判定の具体例について説明する。
【００７４】
映像信号ＶＳに有効映像領域のサイズ情報があり（ＨＤＭＩやＤＶＩでの接続や、デジタル放送のメタデータ）、かつ、サイズ情報における有効映像領域のサイズが４：３、１６：９および２．３５：１のいずれかに該当する場合、当該サイズ情報から有効映像領域のサイズを判定する。
【００７５】
一方、映像信号ＶＳに有効映像領域のサイズ情報がない場合、映像サイズ判定部２２は、映像サイズ記憶部２３に格納されている静止画像データのサイズと映像信号ＶＳの映像領域とを比較することにより、当該有効映像領域のサイズを判定する。映像サイズ記憶部２３には、図８（ａ）に示す４：３サイズの静止画像データＳ１および図８（ｂ）に示す２．３５：１サイズの静止画像データＳ２が格納されている。サイズ判定方法として、以下の第１〜第５の方法が挙げられる。
【００７６】
第１の方法では、映像サイズ判定部２２に映像信号ＶＳが入力されると、映像サイズ判定部２２は、映像サイズ記憶部２３に格納されているいずれかのサイズの静止画像データを読み出し、読み出した静止画像データを映像信号ＶＳの映像領域に重ね合わせて、当該静止画像データの外側が全て黒表示であるか否かを判定する。読み出した静止画像データの外側が全て黒表示である場合、当該静止画像データのサイズが、映像信号ＶＳの有効映像領域のサイズであると判定される。
【００７７】
例えば、図９（ａ）に示すように、映像信号ＶＳの有効映像領域ＡＣのサイズが４：３であり、無効映像領域が黒表示領域ＢＬである場合、図９（ｂ）に示すように、４：３サイズの静止画像データＳ１を映像信号ＶＳの映像領域に重ね合わせると、静止画像データＳ１の外側は全て黒表示となる。
【００７８】
また、図１０（ａ）に示すように、映像信号ＶＳの有効映像領域ＡＣのサイズが２．３５：１であり、無効映像領域が黒表示領域ＢＬである場合、図１０（ｂ）に示すように、２．３５：１サイズの静止画像データＳ２を映像信号ＶＳの映像領域に重ね合わせると、静止画像データＳ２の外側は全て黒表示となる。
【００７９】
ここで、映像信号ＶＳの映像領域に重ね合わせたときに外側が全て黒表示となる静止画像データが複数ある場合は、当該複数の静止画像データのうち最も小さい静止画像データのサイズを、映像信号ＶＳの有効映像領域のサイズであると判定してもよい。なお、第１の方法では、映像信号ＶＳの無効映像領域が黒表示以外の場合はサイズ判定ができないので、映像信号ＶＳの無効映像領域が黒表示である場合に限り適用可能である。
【００８０】
第２の方法では、映像サイズ判定部２２に映像信号ＶＳが入力されると、映像サイズ判定部２２は、映像サイズ記憶部２３に格納されているいずれかのサイズの静止画像データを読み出し、読み出した静止画像データを映像信号ＶＳの映像領域に重ね合わせて、当該静止画像データの外側が一定時間固定画像であるか否かを判定する。読み出した静止画像データの外側が一定時間固定画像である場合、当該静止画像データのサイズが、映像信号ＶＳの有効映像領域のサイズであると判定される。
【００８１】
例えば、図１１（ａ）に示すように、映像信号ＶＳの有効映像領域ＡＣのサイズが４：３であり、無効映像領域が固定画像ＳＴである場合、図９（ｂ）に示すように、４：３サイズの静止画像データＳ１を映像信号ＶＳの映像領域に重ね合わせると、静止画像データＳ１の外側は全て固定画像となる。なお、映像信号ＶＳの映像領域に重ね合わせたときに外側が全て固定画像となる静止画像データが複数ある場合は、当該複数の静止画像データのうち最も小さい静止画像データのサイズを、映像信号ＶＳの有効映像領域のサイズであると判定してもよい。
【００８２】
これにより、第２の方法では、映像信号ＶＳの無効映像領域が黒表示以外の固定画像である場合でも適用可能である。なお、第１および第２の方法では、映像信号ＶＳの有効映像領域のサイズが、映像サイズ記憶部２３から読み出した静止画像データのサイズよりも少しでも大きい場合は、当該有効映像領域のサイズが、無効映像領域に対応する分割発光領域のＬＥＤの輝度を下げた（または消灯した）場合に表示品位に影響を与えない程度であっても、当該読み出した静止画像データのサイズであると判定されない。
【００８３】
第３の方法では、映像サイズ判定部２２に映像信号ＶＳが入力されると、映像サイズ判定部２２は、映像サイズ記憶部２３に格納されているいずれかのサイズの静止画像データを読み出し、読み出した静止画像データを映像信号ＶＳの映像領域に重ね合わせて、当該静止画像データの周囲の所定範囲内に不連続性があるか否かを判定する。当該所定範囲内不連続性がある場合、当該静止画像データのサイズが、映像信号ＶＳの有効映像領域のサイズであると判定される。具体的には、以下のように実現できる。
【００８４】
図１２は、映像信号ＶＳの有効映像領域の第３のサイズ判定方法を示すフローチャートである。映像サイズ判定部２２に映像信号ＶＳが入力されると（ステップＳ１）、映像サイズ判定部２２は、映像サイズ記憶部２３に格納されているいずれかのサイズの静止画像データを読み出す（ステップＳ２）。読み出された静止画像が表示画面より縦長である場合（ステップＳ３においてＹｅｓ）、サイズ判定方向を横方向に設定して不連続性があるか否かの検出を行う（ステップＳ４）。一方、読み出された静止画像が表示画面より縦長でない場合（ステップＳ３においてＮｏ）、すなわち静止画像が表示画面より横長である場合、サイズ判定方向を横方向に設定して不連続性があるか否かの検出を行う（ステップＳ５）。なお、図８には示されていないが、読み出された静止画像の横幅、高さが共に画面サイズの横幅および高さよりも短い場合には、縦横の両方向にサイズ判定方向を設定する。
【００８５】
続いて、読み出された静止画像の端に相当する部分の所定範囲内（例えば外側２ピクセルの範囲内）に、他の部分に比較して大きな変化量（例えば、輝度、色度の変化量）を持つ部分があるか否かを検出する（ステップＳ６）。ここで、他の部分とは、判定方向に沿った静止画像の端部以外の部分を意味する。所定範囲内に不連続性があると検出された場合（ステップＳ６においてＹｅｓ）、映像サイズ判定部２２は、当該読み出された静止画像のサイズを映像信号ＶＳの有効映像領域のサイズと判定する（ステップＳ７）。なお、所定範囲内に不連続性が検出されない場合（ステップＳ６においてＮｏ）、映像サイズ判定部２２は、映像サイズ記憶部２３から他の静止画像データを読み出して（ステップＳ８）、ステップＳ３に戻って同様にサイズ判定方向の設定を行う。
【００８６】
なお、ステップＳ６における不連続性の検出は、フレーム間の動きを検出できる場合には（あるいはデジタル放送のＭＰＥＧ等の情報として得られる場合には）、動きが不連続になる部分を検出してもよい。また、判定回数は１回に限定されず、上記サイズ判定方向に複数回（サイズ判定方向が縦横の両方向の場合は、それぞれについて複数回）不連続性の検出を行い、大きな変化量を持つ部分を検出する確率が所定値（例えば５０％）以上の場合に、読み出された静止画像の周囲に不連続性があると判定してもよい。また、周囲の所定範囲内に不連続性があると判定された静止画像が複数ある場合は、当該複数の静止画像のうち最も大きい静止画像のサイズを映像信号ＶＳの有効映像領域のサイズと判定してもよく、あるいは、周囲に大きな変化量を持つ部分を検出する確率が最も高い静止画像のサイズを映像信号ＶＳの有効映像領域のサイズと判定してもよい。
【００８７】
図１３は、映像信号ＶＳの有効映像領域の第３のサイズ判定方法の一例を示す図である。図１３（ａ）に示すように、映像信号ＶＳの映像領域は、有効映像領域ＡＣが表示画面より縦長であり、有効映像領域ＡＣの左右に無効映像領域である余白領域ＷＨが挿入されている。
【００８８】
図１３（ｂ）は、映像サイズ判定部２２が表示画面よりも縦長の静止画像データＳ１を読み出して、静止画像データＳ１を映像信号ＶＳの映像領域に重ね合わせた状態を示している。この場合、サイズ判定方向は横方向に設定され、矢印に沿って不連続性の検出が行われる。有効映像領域ＡＣと余白領域ＷＨとの境界では、輝度や色度の変化量が大きいため、当該境界と矢印との交点Ｐが不連続性のある部分として検出される。
【００８９】
図１４は、映像信号ＶＳの有効映像領域の第３のサイズ判定方法の他の例を示す図である。図１４（ａ）に示すように、映像信号ＶＳの映像領域は、有効映像領域ＡＣが表示画面より横長であり、有効映像領域ＡＣの上下に無効映像領域である余白領域ＷＨが挿入されている。
【００９０】
図１４（ｂ）は、映像サイズ判定部２２が表示画面よりも横長の静止画像データＳ２を読み出して、静止画像データＳ２を映像信号ＶＳの映像領域に重ね合わせた状態を示している。この場合、サイズ判定方向は縦方向に設定され、矢印に沿って不連続性の検出が行われ、有効映像領域ＡＣおよび余白領域ＷＨの境界と矢印との交点Ｐが不連続性のある部分として検出される。
【００９１】
第４の方法では、上記第３の方法と同様に映像サイズ記憶部２３から読み出した静止画像を映像信号ＶＳの映像領域に重ね合わせ、静止画像の周囲の所定範囲内に不連続性があるか否かを検出すると共に、静止画像の外側が一定時間固定画像であるか否かをも検出する。その結果、静止画像の周囲の所定範囲内に不連続性があり、かつ静止画像の外側が一定時間固定画像であると判定された場合に、映像信号ＶＳの有効映像領域のサイズは、当該静止画像のサイズであると判定される。なお、映像信号ＶＳの映像領域に重ね合わせたときに周囲の所定範囲内に不連続性があり、かつ外側が全て固定画像となる静止画像データが複数ある場合は、当該複数の静止画像データのうち最も小さい静止画像データのサイズを、映像信号ＶＳの有効映像領域のサイズであると判定してもよく、あるいは、当該複数の静止画像データのうち最も大きい静止画像データのサイズを、映像信号ＶＳの有効映像領域のサイズであると判定してもよい。
【００９２】
上記第２〜第４の方法では、映像信号ＶＳの無効映像領域が、黒表示または静止画像の場合だけでなく、何らかの模様が存在する場合であっても、映像信号ＶＳの有効映像領域のサイズを判定することができる。
【００９３】
また、上記第３の方法および第４の方法では、映像信号ＶＳの有効映像領域が、映像サイズ記憶部２３から読み出された静止画像データのサイズよりも若干小さい場合であっても、映像信号ＶＳの有効映像領域のサイズを判定することができる。
【００９４】
続いて、第５の方法では、上記第１〜第４の方法のうち、２つ以上の方法を切り替えて用いる。方法の切り替えは、ユーザが指定してもよいし、入力映像のメタデータとして指定してもよいし、他の方法を用いてもよい。
【００９５】
以上のように本実施形態では、映像サイズ判定部２２は、第１〜第５の方法により、映像信号ＶＳの有効映像領域のサイズを判定することができる。なお、第１〜第５の方法の他、映像サイズ記憶部２３から静止画像データを読み出さずに、映像信号ＶＳの映像領域の中心から縦横方向に不連続性があるか否かを検出することにより、映像信号ＶＳの有効映像領域のサイズを判定してもよい。
【００９６】
上記では、光源としてＬＥＤを用いたが、これに限定されず、ＥＬ（エレクトロルミネセンス）発光素子を光源として用いてもよい。また、ＬＥＤの配列は、縦横にマトリックス状に並んだ構成のみならず、例えば縦列と横列のＬＥＤが交互にずれて並ぶいわゆる千鳥状の配列で構成されていてもよい。
【００９７】
さらに、冷陰極管（ＣＣＦＬ）や熱陰極管（ＨＣＦＬ）などの放電管を光源として用いてもよい。続いて、光源としてＣＣＦＬを用いた例について説明する。
【００９８】
図１５は、本実施形態の変形例に係るバックライト装置３０の構成を示すブロック図である。バックライト装置３０は、図１に示すバックライト装置１０と同様、直下型バックライトであり、複数のＣＣＦＬ３１ａ・３１ｂ、ＣＣＦＬ駆動部４０ａ・４０ｂ、ＣＣＦＬ制御部４１、映像サイズ判定部２２および映像サイズ記憶部２３を備えている。
【００９９】
ＣＣＦＬ駆動部４０ａ・４０ｂはそれぞれ、ＣＣＦＬの発光に対応した高電圧発生部であり、ＣＣＦＬ制御部４１からの制御信号に基づき、ＣＣＦＬ３１ａ・３１ｂを発光させる。ＣＣＦＬ制御部４１は、映像サイズ判定部２２からの制御信号に基づき、ＣＣＦＬ駆動部４０ａ・４０ｂによるＣＣＦＬ３１ａ・３１ｂの駆動を制御する。
【０１００】
なお、映像サイズ判定部２２および映像サイズ記憶部２３は、ともに図１に示すバックライト装置１０におけるものと略同一の構成であるが、映像サイズ記憶部２３には、図８（ａ）に示す４：３サイズの静止画像データのみ記憶されている。これにより、映像サイズ判定部２２は、映像信号ＶＳの有効映像領域のサイズが、４：３および１６：９のいずれであるかを判定する構成となっている。
【０１０１】
続いて、ＣＣＦＬの配置について説明する。
【０１０２】
図１６は、反射板３４の上面におけるＣＣＦＬ３１ａ・３１ｂの配置の一例を示す平面図である。反射板３４は、図２に示す反射板１４と略同様の構成であり、２つの分割発光領域３４ａ・３４ｂに分割されている。反射板３４には、合計１４本のＣＣＦＬ３１ａ・３１ｂが、表示画面の横方向に等間隔で配置されており、分割発光領域３４ａには、１０本のＣＣＦＬ３１ａが設けられ、分割発光領域３４ｂには、４本のＣＣＦＬ３１ｂが設けられる。
【０１０３】
各分割発光領域３４ａ・３４ｂのＣＣＦＬは、それぞれ図１５に示すＣＣＦＬ駆動部４０ａ・４０ｂによって独立して駆動される。これにより、ＣＣＦＬ３１は、分割発光領域単位で駆動される。
【０１０４】
また図１５に示す映像サイズ判定部２２は、外部からの映像信号ＶＳの有効映像領域のサイズが、４：３および１６：９のいずれであるかを判定する。さらに、分割発光領域３４ａ・３４ｂは、映像サイズ判定部２２によって判定されるサイズに対応した配置で分割されている。すなわち、４：３および１６：９の有効映像領域は、分割発光領域３４ａ・３４ｂのいずれかの分割発光領域、または分割発光領域３４ａ・３４ｂの組合せに係るいずれかの発光領域に対応するように分割されている。
【０１０５】
具体的には、４：３のサイズの有効映像領域が分割発光領域３４ａに対応するように、分割発光領域３４ａのサイズがほぼ４：３となっており、１６：９のサイズの有効映像領域が、分割発光領域３４ａと分割発光領域３４ｂとを合わせた発光領域に対応している。
【０１０６】
以上の構成において、映像サイズ判定部２２が、映像信号ＶＳの有効映像領域のサイズが４：３であると判定した場合、ＣＣＦＬ制御部４１は、図１７に示すように、分割発光領域３４ｂのＣＣＦＬ３１ｂの輝度を、分割発光領域３４ａのＣＣＦＬ３１ａの輝度よりも下げるように調光制御する。分割発光領域３４ａのサイズはほぼ４：３であるので、映像信号ＶＳの無効映像領域に対応するＣＣＦＬ３１ｂの輝度が下がることとなる。したがって、映像信号ＶＳの有効映像領域のサイズが、４：３の場合は、バックライト装置３０の消費電力を低減することが可能となる。なお、表示品位に問題がない場合は、ＣＣＦＬ３１ｂを消灯してもよい。これにより、バックライト装置３０の消費電力をさらに低減できる。
【０１０７】
なお、映像サイズ判定部２２は、映像信号ＶＳの有効映像領域のサイズが４：３であると判定されない場合、例えば、映像信号ＶＳの有効映像領域のサイズが４：３サイズに比べて所定以上横長である場合は、当該サイズを１６：９であると判定する。この場合は、全てのＣＣＦＬ３１ａ・３１ｂの輝度が等しくなるように調光制御される。
【０１０８】
以上では、映像信号ＶＳの有効映像領域のサイズが縦長の４：３の場合のみ、バックライト装置の消費電力を低減できる構成であったが、映像信号ＶＳの有効映像領域のサイズが横長の２．３５：１の場合にバックライト装置の消費電力を低減できる構成は、以下のようになる。
【０１０９】
図１８は、反射板３４の上面におけるＣＣＦＬ３１ａ・３１ｂの配置の他の例を示す平面図である。反射板３４は、図２に示す反射板１４と略同様の構成であり、２つの分割発光領域３４ａ・３４ｂに分割されている。反射板３４には、合計８本のＣＣＦＬ３１ａ・３１ｂが、表示画面の縦方向に等間隔で配置されており、分割発光領域３４ａには、６本のＣＣＦＬ３１ａが設けられ、分割発光領域３４ｂには、２本のＣＣＦＬ３１ｂが設けられる。
【０１１０】
各分割発光領域３４ａ・３４ｂのＣＣＦＬは、それぞれ図１５に示すＣＣＦＬ駆動部４０ａ・４０ｂによって独立して駆動される。これにより、ＣＣＦＬ３１は、分割発光領域単位で駆動される。
【０１１１】
また図１５に示す映像サイズ判定部２２は、外部からの映像信号ＶＳの有効映像領域のサイズが、２．３５：１および１６：９のいずれであるかを判定する。さらに、分割発光領域３４ａ・３４ｂは、映像サイズ判定部２２によって判定されるサイズに対応した配置で分割されている。すなわち、２．３５：１および１６：９の有効映像領域は、分割発光領域３４ａ・３４ｂのいずれかの分割発光領域、または分割発光領域３４ａ・３４ｂの組合せに係るいずれかの発光領域に対応するように分割されている。
【０１１２】
具体的には、２．３５：１のサイズの有効映像領域が分割発光領域３４ａに対応するように、分割発光領域３４ａのサイズがほぼ２．３５：１となっており、１６：９のサイズの有効映像領域が、分割発光領域３４ａと分割発光領域３４ｂとを合わせた発光領域に対応している。
【０１１３】
以上の構成において、映像サイズ判定部２２が、映像信号ＶＳの有効映像領域のサイズが２．３５：１であると判定した場合、ＣＣＦＬ制御部４１は、図１９に示すように、分割発光領域３４ｂのＣＣＦＬ３１ｂの輝度を、分割発光領域３４ａのＣＣＦｌ３１ａの輝度よりも下げるか、または分割発光領域３４ｂのＣＣＦＬ３１ｂを消灯するように調光制御する。したがって、映像信号ＶＳの有効映像領域のサイズが、シネマサイズの２．３５：１の場合に、バックライト装置３０の消費電力を低減することが可能となる。
【０１１４】
〔実施形態の総括〕
上記の実施形態では、発光領域を４つまたは２つの分割発光領域に分割する構成であったが、発光領域の分割数はこれに限定されない。光源の一部を減光または消灯することが可能な画面サイズの数に応じて、分割数が設定される。
【０１１５】
また、上記の実施形態では、映像サイズ判定部は、有効映像領域のサイズが４：３、１６：９または２．３５：１のいずれかであると判定するように構成されていたが、判定の対象となるサイズはこれに限定されない。例えば、映像サイズ記憶部に、５：４サイズ（ＰＣ用の１２８０×１０２４）や１１：９サイズ（ＣＩＦ：３５２×２８８，ＱＣＩＦ：１７６×１４４）の静止画像データを記憶させて、有効映像領域のサイズがこれらのサイズを含むサイズのいずれかであると判定するように構成してもよい。
【０１１６】
また、分割発光領域をさらに複数の分割発光領域に分割してもよい。これにより、例えば有効映像領域に対応する分割発光領域においても、黒や暗い映像の領域に対応する部分では、光源を消灯または減光させてもよい。
【０１１７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１８】
本発明は、液晶パネルを照明するバックライト装置に好適に適用できる。
【図面の簡単な説明】
【０１１９】
【図１】本発明の実施形態に係る液晶表示装置の構成を示すブロック図である。
【図２】（ａ）は、上記液晶表示装置のバックライト装置が液晶パネルに取り付けられた状態を示す断面図であり、（ｂ）は、上記バックライト装置の構造を示す平面図である。
【図３】上記バックライト装置の反射板の上面を示す平面図である。
【図４】有効映像領域の左右に黒表示領域が挿入された映像を示す図である。
【図５】左右の黒表示領域に対応するＬＥＤの輝度を下げた状態を示す平面図である。
【図６】有効映像領域の上下に黒表示領域が挿入された映像を示す図である。
【図７】上下の無効映像領域に対応するＬＥＤの輝度を下げた状態を示す平面図である。
【図８】映像サイズ記憶部に格納される静止画像データを示す図であり、（ａ）は４：３サイズの静止画像データを示しており、（ｂ）は２．３５：１サイズの静止画像データを示している。
【図９】（ａ）は、有効映像領域の左右に黒表示領域が挿入された映像を示す図であり、（ｂ）は、４：３サイズの静止画像データを当該映像に重ね合わせた状態を示す図である。
【図１０】（ａ）は、有効映像領域の上下に黒表示領域が挿入された映像を示す図であり、（ｂ）は、２．３５：１サイズの静止画像データを当該映像に重ね合わせた状態を示す図である。
【図１１】（ａ）は、有効映像領域の左右に固定画像が挿入された映像を示す図であり、（ｂ）は、４：３サイズの静止画像データを当該映像に重ね合わせた状態を示す図である。
【図１２】映像信号の有効映像領域の第３のサイズ判定方法を示すフローチャートである。
【図１３】（ａ）は、有効映像領域の左右に余白領域が挿入された映像を示す図であり、（ｂ）は、４：３サイズの静止画像データを当該映像に重ね合わせた状態を示す図である。
【図１４】（ａ）は、有効映像領域の上下に余白領域が挿入された映像を示す図であり、（ｂ）は、２．３５：１サイズの静止画像データを当該映像に重ね合わせた状態を示す図である。
【図１５】本発明の実施形態の変形例に係るバックライト装置の構成を示すブロック図である。
【図１６】反射板の上面におけるＣＣＦＬの配置の一例を示す平面図である。
【図１７】左右の無効映像領域に対応するＣＣＦＬの輝度を下げた状態を示す平面図である。
【図１８】反射板の上面におけるＣＣＦＬの配置の他の例を示す平面図である。
【図１９】上下の無効映像領域に対応するＣＣＦＬの輝度を下げた状態を示す平面図である。
【符号の説明】
【０１２０】
１    液晶表示装置
２    液晶パネル
１０、３０    バックライト装置
１１、１１ａ〜１１ｄ    ＬＥＤ（光源）
１４、３４    反射板（発光領域）
１４ａ〜１４ｄ、３４ａ、３４ｂ    分割発光領域
２０ａ〜２０ｄ    ＬＥＤ駆動部（光源駆動部）
２１    ＬＥＤ制御部（光源制御部）
２２    映像サイズ判定部
３１、３１ａ、３１ｂ    ＣＣＦＬ（光源）
４０ａ、４０ｂ  ＣＣＦＬ駆動部（光源駆動部）
４１    ＣＣＦＬ制御部（光源制御部）
ＡＣ    有効映像領域
ＢＬ    黒表示領域（無効映像領域）
ＷＨ    余白領域（静止画像領域、無効映像領域）
ＶＳ    映像信号
【図１】
2009294436.tif 000003
【図２】
2009294436.tif 000004
【図３】
2009294436.tif 000005
【図４】
2009294436.tif 000006
【図５】
2009294436.tif 000007
【図６】
2009294436.tif 000008
【図７】
2009294436.tif 000009
【図８】
2009294436.tif 000010
【図９】
2009294436.tif 000011
【図１０】
2009294436.tif 000012
【図１１】
2009294436.tif 000013
【図１２】
2009294436.tif 000014
【図１３】
2009294436.tif 000015
【図１４】
2009294436.tif 000016
【図１５】
2009294436.tif 000017
【図１６】
2009294436.tif 000018
【図１７】
2009294436.tif 000019
【図１８】
2009294436.tif 000020
【図１９】
2009294436.tif 000021